(57)【要約】      （修正有）【課題】  複数人で一つのメディアを共用する場合でも、記録失敗のおそれを少なくする、最適な予約録画機能を実現する。【解決手段】放送番組を受信する手段と、受信された放送番組のデータを記録する記録手段と、放送番組の記録を予約設定する予約設定手段とを備え、複数件の予約設定の間に、第１の条件に従う第１の優先度と第２の条件に従う第２の優先度とを設定し、これら第１の優先度と第２の優先度のうちの一つを選択し、複数件の予約設定情報と選択された優先度とに基づいて放送番組の記録動作を制御する。【選択図】  図２
2005094624.tif 000002
【特許請求の範囲】
【請求項１】
放送番組を受信する受信手段と、
前記受信手段により受信された放送番組のデータを記録媒体に記録する記録手段と、
前記放送番組の記録を予約設定する予約設定手段と、
前記予約設定手段により設定された複数件の予約設定に係る予約設定情報の間に、第１の条件に従う第１の優先度と第２の条件に従う第２の優先度とを設定し、これら第１の優先度と第２の優先度のうちの一つを選択する優先度設定手段と、
前記予約設定情報と前記優先度設定手段により設定された優先度とに基づいて前記記録手段による前記放送番組データの記録動作を制御する制御手段とを備える記録装置。
【請求項２】
前記制御手段は、前記記録媒体の記録可能残量を検出する残量検出手段を有し、前記記録媒体の記録可能残量が前記複数件の予約設定された放送番組のデータを記録不能であると判断した場合、前記優先度設定手段により設定された優先度に応じて記録すべき放送番組を決定することを特徴とする請求項１記載の記録装置。
【請求項３】
前記複数件の予約設定情報のうち、記録すべき放送番組以外の放送番組の予約設定情報に関する警告情報を表示装置に出力する表示制御手段を備えたことを特徴とする請求項２記載の記録装置。
【請求項４】
前記予約設定手段は更に、前記警告情報にて指示された予約設定の内容を変更可能であることを特徴とする請求項３記載の記録装置。
【請求項５】
前記優先度選択手段によって前記第１の優先度が選択されている場合には前記警告情報にて指示された予約設定の内容を変更する際にこの予約設定を行った使用者の認証が必要であり、第２の優先度が選択されている場合には前記認証無しに警告情報にて指示された予約設定の内容を変更可能であることを特徴とする請求項４記載の記録装置。
【請求項６】
前記制御手段は、前記予約設定手段により新たに予約設定がなされる度に、前記記録媒体の記録可能残量が前記複数件の予約設定された放送番組のデータを記録可能か否かを判別し、記録不能である場合、前記優先度設定手段により設定された優先度に応じて前記新たに設定された予約設定情報を含めた複数件の予約設定情報の中から記録すべき放送番組を決定することを特徴とする請求項２記載の記録装置。
【請求項７】
前記優先度設定手段は、前記複数件の予約設定情報により予約設定された記録日時に従って前記第１の優先度を設定し、前記複数件の予約設定情報が設定された順に従って前記第２の優先度を設定することを特徴とする請求項１記載の記録装置。
【請求項８】
前記制御手段は、前記記録媒体の記録可能残量を検出する残量検出手段を有し、前記複数件の予約設定情報のうちの一つの予約設定による放送番組のデータを記録した後に、前記記録媒体の残量が、この一つの予約設定よりも優先順位が上位の予約設定情報による放送番組のデータを記録するのに残量不足であると検知した場合、前記一つの予約設定による放送番組の記録領域の一部または全部に対して前記上位の予約設定による放送番組のデータを記録するよう前記記録手段を制御することを特徴とする請求項１記載の記録装置。
【請求項９】
放送番組を受信する受信手段と、
前記受信手段により受信された放送番組のデータを記録媒体に記録する記録手段と、
前記放送番組の記録を予約設定する予約設定手段と、
互いに異なる条件に従って、前記予約設定手段により設定された複数件の前記予約設定に係る予約設定情報の間に優先度を設定する複数の優先モードのうちの一つを選択する優先モード設定手段と、
前記予約設定情報と前記優先モード設定手段により設定された優先モードとに基づいて前記記録手段による前記放送番組データの記録動作を制御する制御手段とを備える記録装置。
【請求項１０】
放送番組を受信する受信手段と、
前記受信手段により受信された放送番組のデータを記録媒体に記録する記録手段と、
前記放送番組の記録を予約設定する予約設定手段と、
前記記録媒体の記録残量を検出する残量検出手段と、
前記予約設定に係る予約設定情報に基づいて前記記録手段による前記放送番組データの記録動作を制御する制御手段とを備え、
前記制御手段は、前記残量検出手段により検出された記録残量が、前記予約設定手段により設定された複数件の放送番組のデータを全て記録できない場合、前記複数件の予約設定がなされた順に従って記録すべき放送番組を決定することを特徴とする記録装置。
【請求項１１】
放送番組を受信し、受信された放送番組のデータを記録媒体に記録する方法であって、前記記録媒体に対する前記放送番組の記録を予約設定した複数件の予約設定に係る予約設定情報の間に、第１の条件に従う第１の優先度と第２の条件に従う第２の優先度とを設定し、これら第１の優先度と第２の優先度のうちの一つを選択すると共に、前記予約設定情報と前記設定された優先度とに基づいて前記放送番組データの記録を制御することを特徴とする記録方法。
【発明の詳細な説明】
【技術分野】
【０００１】
本発明は記録装置に関し、特には、録画予約設定の処理に関する。
【背景技術】
【０００２】
従来、ビデオデッキを家族など複数人で使用する場合、記録メディアであるビデオテープはそれぞれが管理を行っていた。
【０００３】
これに対して近年、本体に大容量のハードディスクドライブ（ＨＤＤ）を内蔵し、多くの番組を記録して使う形式のビデオデッキが急速に普及しつつある。
【０００４】
このビデオデッキでは、複数人で使用する場合、一つのＨＤＤを共用することになる。その場合でも、大容量の媒体であるので、数十時間分もの番組を記録しておける上、読み書き、消去が自在に可能であり、記録しておいた番組を見たらすぐ消去したり、他のメディアへコピーしたり等、多様な使い方ができるため、メディアの交換が出来なくても不都合が生じることは少ない。
【０００５】
しかしながら、この様なＨＤＤを用いたビデオデッキでも、記録しておいた番組を消さずにおくと、ＨＤＤの空き容量が少なくなってしまう場合がある。
【０００６】
このため、特許文献１に記載の様に、記録する番組の時間長と残量とを比較し、残量が足りない場合はその旨を通知することが知られている。
【特許文献１】特開２００３−９０４８号
【発明の開示】
【発明が解決しようとする課題】
【０００７】
しかしながら、例えば一人が予約設定したときにはメディアの残量が十分でも、その後別の人が記録を行ってメディアの空き容量がなくなってしまい、予約設定した番組が記録できなくなってしまうという場合があった。
【０００８】
本発明は以上の点に鑑みてなされたものであり、使用者の人数によって最適な記録予約機能を提供することを目的とする。
【０００９】
また、本発明は、複数人で一つのメディアを共用する場合でも記録失敗のおそれを少なくすることを他の目的とする。
【課題を解決するための手段】
【００１０】
このような目的を達成するため、本発明においては、放送番組を受信する受信手段と、前記受信手段により受信された放送番組のデータを記録媒体に記録する記録手段と、前記放送番組の記録を予約設定する予約設定手段と、前記予約設定手段による複数件の前記予約設定情報の間に、第１の条件に従う第１の優先度と第２の条件に従う第２の優先度とを設定し、これら第１の優先度と第２の優先度のうちの一つを選択する優先度設定手段と、前記予約設定情報と前記優先度設定手段により設定された優先度とに基づいて前記記録手段による前記放送番組データの記録動作を制御する制御手段とを備える。
構成とした。
【発明の効果】
【００１１】
レコーダの利用人数に応じた最適な録画予約機能を提供することが可能となる。
【発明を実施するための最良の形態】
【００１２】
以下、本発明の実施形態について説明する。
【００１３】
図１は本発明を適用したディスクレコーダ１００の構成を示す図である。
【００１４】
図１において、１０１は不図示のアンテナにより受信したＢＳ、地上波、ＣＡＴＶ等のＲＦ入力を選局、検波して映像信号および音声信号を取り出し、デジタル化して出力するチューナ、１０２は外部装置から画像信号や音声信号を入力し、デジタル信号に変換して出力する入力部、１０３は外部機器との間で画像信号や音声信号などをデジタルデータの形式で送受信するデジタルインターフェース、１０４は画像信号や音声信号をＭＰＥＧ規格に従い符号化、復号化処理するＭＰＥＧＣＯＤＥＣ、１０５は復号された画像信号や各種のメニュー画面などを出力部１０６に接続された外部モニタなどで表示するための表示画面を生成する表示制御部、１０６は表示制御部１０５からの画像信号を外部モニタに適した形式に変換して出力する出力部、１０７は大容量の内蔵ハードディスクドライブ、１０８はリムーバブルディスクＤに対するデータの書き込み、読み出しを実行するディスクＩ／Ｆ、１０９はレコーダ１００に対する各種の指示を入力するための操作部、１１０はレコーダ１００の各部の処理を制御するＣＰＵ、１１１はＣＰＵ１１０の処理に必要なデータなどを格納するメモリ、１１２は各ブロックの間でデータをやり取りするためのデータバス、１１３はＣＰＵ１１０が各ブロック対して制御信号を送受信するための制御バスである。本形態では、ディスクＤとして、ＤＶＤ（Ｄｉｇｉｔａｌ  Ｖｅｒｓａｔｉｌｅ  Ｄｉｓｃ）などの光ディスクを用いる。
【００１５】
まず、通常の記録再生時の処理について説明する。
【００１６】
記録時においては、チューナ１０１により得られた画像、音声信号はＣＯＤＥＣ１０４により符号化される。そして、ＣＯＤＥＣ１０４により得られたＭＰＥＧストリームのデータは、ＨＤＤ１０７あるいはディスクＩ／Ｆ１０８に送られ、ＨＤＤ１０７またはディスクＤに記録される。
【００１７】
ユーザは、操作部１０９を操作することにより、ＨＤＤ１０７とディスクＤのうちの何れか一方を選択して画像、音声信号を記録することができる。
【００１８】
再生時においては、操作部１０９によりＨＤＤ１０７あるいはディスクＤのうちの一方を選択し、再生を指示すると、ＣＰＵ１１０はＨＤＤ１０７あるいはディスクＤから、指定されたデータを再生するよう、ＨＤＤ１０７、ディスクＩ／Ｆ１０８を制御する。再生されたＭＰＥＧストリームデータはＣＯＤＥＣ１０４によりデコードされ、表示制御部１０５を介して出力部１０６に送られる。出力部１０６はこの再生画像信号を外部モニタに対して出力する。
【００１９】
次に、予約録画動作について説明する。
【００２０】
本形態のレコーダ１００は予約録画機能を有しており、ユーザは、操作部１０９を操作することでレコーダ１００を予約録画モードに切り替える。ＣＰＵ１１０は予約録画モードに設定されると、表示制御部１０５を制御して予約録画用の画面を生成し、出力部１０６により外部モニタ表示する。ユーザはこの表示画面を見ながら操作部１０９を操作することで、録画予約を実行する。
【００２１】
図２は録画予約時のＣＰＵ１１０の処理を示すフローチャートである。以下、図２を用いて予約録画時の処理を説明する。
【００２２】
予約録画処理が指示されると、前述の様に予約画面を表示し（Ｓ２０１）、ユーザにより予約条件を入力する（Ｓ２０２）。予約入力が完了したことが確認されると（Ｓ２０３）、現在設定されている予約情報の件数が複数あるか否か確認し（Ｓ２０４）、複数件の予約があった場合、予約の優先度の決定モードとして、予約実行時刻優先モードと予約入力時刻優先モードのいずれが設定されているのかを検出する（Ｓ２０５）。ユーザは、操作部１０９を操作することにより、メニュー画面より、予約実行時刻優先モードと予約入力時刻優先モードの何れかを選択することができる。
【００２３】
予約実行時刻優先モードの場合、各予約情報による記録開始時刻を比較し、記録開始時刻が早い予約の優先度が高くなるように優先順位を決定する（Ｓ２０６）。また、予約入力時刻優先モードの場合、予約の入力が完了した時刻を比較し、予約の入力が完了した時刻が早い予約の優先度が高くなるように優先順位を決定する（Ｓ２０７）。
【００２４】
次に、ｎ件の予約情報のうち、優先度を示す変数ｐに対して１を設定し、最も優先度の高い予約情報を選ぶ（Ｓ２０８）。そして、ＨＤＤ１０７或はディスクＤのうちの指定された方の記録媒体の残量をチェックし（Ｓ２０９）、指定された番組の記録が可能なだけの残量があるか判定する（Ｓ２１０）。ここで、記録可能な残量がない場合、メモリ１１１における警告リストに対してこの予約情報を記憶する（Ｓ２１１）。
【００２５】
一方、十分残量があると判断した場合、次の優先順位の予約情報を選択し（Ｓ２１２）、ｎ件の予約情報に対して全てチェックしたか否かを判別する（Ｓ２１３）。チェックすべき予約件がまだ残っている場合、再びＳ２０９に戻り同様の処理を繰り返す。なお、優先順位が二番目以降の予約件についてチェックを行う場合には、Ｓ２０９においては、現在の残量に加え、今までチェックした優先度の高い予約情報にて記録される番組のデータ量を考慮して残量をチェックする。
【００２６】
全ての予約項目について残量のチェックが終了すると、警告すべき予約項目があるか否かを判別する（Ｓ２１４）。警告すべき予約項目がある場合、警告リストに記録されている予約項目と警告内容を表示する（Ｓ２１５）。また、警告リストに予約項目が設定されていない場合、そのまま予約処理を終了する
図３は、予約実行時刻優先モードにおける残量チェックの様子を説明するための図である。図３において、予約番号０００１から０００３の３件の録画予約が設定されている。
【００２７】
そして、これら３件の予約録画の開始時刻を比較すると、予約番号０００１は６月１０日（火）の午後９時００分、予約番号０００２は６月１３日（金）の午後９時００分、予約番号０００３は６月１２日（木）の午後９時００分であるので、優先順位は、最高位が予約番号０００１、次が予約番号０００３、最下位が予約番号０００２である。
【００２８】
そして、図３では、残量が６ＧＢであるので、この条件では、優先順位が最下位である予約番号０００２の予約録画を実行するための残量が不足となり、予約番号０００２にて設定された番組を全て記録することができないため、警告の対象となる。
【００２９】
図４はこの場合の警告の表示例である。
【００３０】
図４において、４０１〜４０４はユーザが選択する選択ボタンである。即ち、図２のＳ２１５において図４の警告画面を表示した後、ＯＫボタン４０１が選択された場合は（Ｓ２１６）、条件はそのままで予約が設定されるため、優先順位が低い予約項目、この場合は予約番号０００２にて指定された番組は、上位になっている予約の条件が変更されない限り、途中で記録が中止されてしまう。
【００３１】
また、古いタイトルから削除ボタン４０２が選択されると（Ｓ２１７）、ＨＤＤ１０７あるいはディスクＤに記録されているデータのうち、所定のデータ、例えば、古いものから順に削除して、予約録画のための領域を確保する（Ｓ２１８）。
【００３２】
また、予約取り消しボタン４０３が選択されると、警告中の予約項目、ここでは、予約番号０００２の予約を取り消す（Ｓ２２０）。
【００３３】
また、予約条件変更ボタン４０４を選択した場合に、予約の条件を変えることができる（Ｓ２２２）。例えば録画時間を短くしたり、記録ビットレートを下げたりすることによって予約を完遂させることができるようになる。図４の場合、ビットレートについて、９．２Ｍｂｐｓであった設定を５．８Ｍｂｐｓ以下に設定すれば、全て記録することが可能となる。
【００３４】
この予約実行時刻優先モードは特にユーザの区別を行わず、誰でも全ての予約を変更することができる。そのため、ユーザ数が一人である場合に最適な予約優先モードである。
【００３５】
図５は、予約入力時刻優先モードにおける残量チェックの様子を説明するための図である。図５において、予約番号０００１から０００３の３件の録画予約が設定されている。
【００３６】
これら３件の予約について、予約設定を完了した時刻を比較すると、予約番号０００１は６月８日の午後１０時３４分、予約番号０００２は６月９日の午後９時１分、予約番号０００３は６月１０日の午後０時２分であるので、優先順位は、最高位が予約番号０００１、次が予約番号０００２、最下位が予約番号０００３である。
【００３７】
図５においては、この条件で優先順位が最下位となる予約番号０００３の予約録画を実行するための残量が不足となり、予約番号０００３にて設定された番組の全てを記録することができないため、警告の対象となる。
【００３８】
図６は、この場合に表示する警告画面の例である。
【００３９】
図６においても、図４と同様、ＯＫボタン６０１、タイトル削除ボタン６０２、予約取り消しボタン６０３、及び予約条件変更ボタン６０４をそれぞれ操作することにより、予約設定を完了、あるいは変更することが可能となる。
【００４０】
なお、予約時にユーザ名を登録することにより、図５に示す様に予約者欄にユーザ名を表示すことができる。さらに、予約内容を変更あるいは削除する場合に、ユーザパスワードの入力が必要な構成とすることも可能であり、複数のユーザが一つのレコーダを利用する場合に最適な予約優先モードとなる。
【００４１】
この様に、本形態においては、予約録画を行う際に、予約実行時刻優先モードと、予約入力時刻優先モードの二つの優先モードを設け、記録媒体の残量が少ない場合には各優先モードにて決定した優先順位に応じて記録すべき番組（データ）を決定するので、レコーダの利用人数など、使用状況に応じた録画予約を実現することが可能となる。
【図面の簡単な説明】
【００４２】
【図１】本発明が適用されるディスクレコーダの構成を示す図である。
【図２】予約設定処理を示すフローチャートである。
【図３】予約設定の状態を示す図である。
【図４】警告画面を示す図である。
【図５】予約設定の状態を示す図である。
【図６】警告画面を示す図である。
【図１】
2005094624.tif 000003
【図２】
2005094624.tif 000004
【図３】
2005094624.tif 000005
【図４】
2005094624.tif 000006
【図５】
2005094624.tif 000007
【図６】
2005094624.tif 000008